(57)【要約】自浄式振動コンベヤは、垂直チューブ（４）と、付属する電磁振動ユニット（１）を有する、螺旋状に上方へそのチューブの周りに巻かれるコンベヤ溝（５）と、および外側からコンベヤ溝（５）を取り囲む収納チューブ（７）とから構成される。垂直チューブ（４）と収納チューブ（７）との間の空間へは、内側から垂直チューブ（４）を通過する、または外側から収納チューブ（７）を通過する幾つかのノズル（１９）により、付属のコンベヤポンプの手段により加圧された液体洗浄剤を噴霧できる。清浄化流体は、集液プレート（２０）上に滴下し、その縁部を越えて、排出口を有する集液溝中に滴下する。好ましい実施例において、半管状チューブ（２１）は、収納チューブに沿って外側に封止的に載置され、かつ半管状チューブ（２１）の内側と収納チューブ（７）との間の空間から内側へ向けて収納チューブ（７）を通過する一連のノズル（１９）を形成する。洗浄の場合に、半管状チューブ（２１）の内側は、流体洗浄剤で圧力を受ける状態に設定され、および乾燥の場合に、振動コンベヤへ、空気ブロワーの接続により温風が流されるか、または全ての供給と排出の接続端末を閉止した後に、吸引ポンプへの接続により半管状チューブ（２１）の内側は、部分真空状態に設定される。【選択図】図１
2004509825.tif 000002
【特許請求の範囲】
【請求項１】
小さい部品、特に丸薬および錠剤をバリ取り、粉末除去して上方へ移送する自浄式振動コンベヤであって、垂直チューブ（４）と、付属する電磁振動ユニット（１）を有する、螺旋状に上方へそのチューブの周りに巻かれるコンベヤ溝（５）と、および外側からコンベヤ溝（５）を取り囲む収納チューブ（７）とを有する自浄式振動コンベヤにおいて、垂直チューブ（４）と収納チューブ（７）との間の空間へは、内側から垂直チューブ（４）を通過する、または外側から収納チューブ（７）を通過する幾つかのノズル（１９）により、付属のコンベヤポンプの手段により加圧された液体洗浄剤を噴霧できること、下側の空間には、集液プレート（２０）と、排出口付き集液溝とが備えられること、および乾燥用の振動コンベヤの内側には、空気ブロワーの接続により温風を流すことができるか、または全ての供給口と排出口を閉止した後に、吸引ポンプへの接続により、その内側を部分真空状態に設定できることを特徴とする自浄式振動コンベヤ。
【請求項２】
半管状チューブが、外側に収納チューブ（７）に沿って封止的に置かれること、および半管状チューブ（２１）の内側と収納チューブ（７）との間の空間から、一連のノズル（１９）が内側へ向けて収納チューブ（７）を通過すること、ならびに洗浄のために、半管状チューブ（２１）の内側へは、加圧された液体洗浄剤が激しく接触することができることを特徴とする、請求項１に従う自浄式振動コンベヤ。
【請求項３】
収納チューブ（７）には、その下端部においてフランジ（９）が備えられ、そのフランジは、収納チューブ（７）へ離間するその側面上に円形溝（２４）を備え、さらに、半管状チューブ（２１）が、それらの縦方向縁部を収納チューブ表面へ封止的に接続することにより、その外側に収納チューブ（７）に沿って置かれ、またこれらの半管状チューブ（２１）の内側は、それぞれの場合において、フランジ（９）内の１つの軸方向内腔（２８）を経て、その円形溝（２４）と連通すること、および半管状チューブ（２１）の内側と連通する半径方向内腔が収納チューブ（７）に存在すること、ならびにノズル（１９）は、収納チューブ（７）の内側からこれらの内腔中に置かれること、さらに半管状チューブ（２１）の少なくとも１つが、流体洗浄剤をポンプで吸い込むために接続端末（２２）を備えることを特徴とする、請求項１に従う自浄式振動コンベヤ。
【請求項４】
収納チューブ（７）が幾つかの区画部分（７１乃至７４）に分割され、接続される隣接する区画部分におけるそれぞれの区画部分はフランジ（１６、１７）を備え、そこにおいて、接続される２つのフランジ（１６、１７）の少なくとも１つのフランジ（１７）は、その外側に、円形溝（２９）の両側に設けられるＯリングを有する円形溝（２９）を備え、またフランジ（１６、１７）は、フランジ（１６、１７）に対する半管状チューブ（２１）の開口部の箇所において、それらの外側が半管状チューブ（２１）の内側と連通するように、軸方向内腔を備えることを特徴とする、請求項３に従う自浄式振動コンベヤ。
【請求項５】
上端部において装着された半管状チューブ（２１）は、収納チューブ上に載置できる蓋（８）により封止的に閉止されることを特徴とする、請求項２乃至４のいずれかに従う自浄式振動コンベヤ。
【請求項６】
垂直中央チューブ（４）は、収納チューブ（７）の内径よりも小さい径を有する集液プレート（２０）上に封止的に直立すること、および集液プレート（２０）の下には、環状溝が配置され、その環状溝は、集液プレート（２０）の縁部と収納チューブ（７）の下の収納チューブ壁との間の空いた幅に沿って設けられ、および集液プレート（２０）を越えて内側へ、かつ収納チューブ（７）を越えて外側へ突出し、さらに、収納チューブ（７）内を下方へ流れる流体が、環状溝により捕捉され、かつ排出口を経て外側へ導かれるように、排出口を備えることを特徴とする、請求項１乃至５のいずれかに従う自浄式振動コンベヤ。
【請求項７】
供給ダクト（１４）と送出ダクト（１５）、および排出とダクト吸引チューブ（１２）を、キャップの手段により封止的に閉止できるし、また振動コンベヤを乾燥する目的のために、吸引ポンプを、液体洗浄剤用の接続端末（２２）へ接続できるし、それを通して、洗浄された内部空間を部分真空状態に設定して、洗浄後にその空間に残る清浄化流体の蒸気を移送できることを特徴とする、請求項１乃至６のいずれかに従う自浄式振動コンベヤ。
【請求項８】
振動コンベヤを乾燥する目的のために、接続端末（２２）を経て温風を、収納チューブ（７）と中央チューブ（４）との間の内部に吹き込み、洗浄後にその内部に残る清浄化流体の蒸気を移送できることを特徴とする、請求項１乃至６のいずれかに従う自浄式振動コンベヤ。
【請求項９】
収納チューブ（７）は、プレキシグラスから製造され、またプレキシグラスの半管状チューブ（２１）は、外側から収納チューブ（７）上に封止的に密着されることを特徴とする、請求項２乃至８のいずれかに従う自浄式振動コンベヤ。
【請求項１０】
ノズル（１９）は、ノズル軸に対して斜めに抜け出る少なくとも１つの開口部を有する回転ノズルであり、前記回転ノズルが噴霧清浄化流体の力により回転できるので、清浄化流体は、円錐の包絡面の形態で振動コンベヤの内部空間中に噴霧され、かくして、摺動コンベヤの内部空間における部材の全ての側面への吹き付けができることを特徴とする、請求項１乃至９のいずれかに従う自浄式振動コンベヤ。
【発明の詳細な説明】
【０００１】
本発明は、小さい部品、特に丸薬および錠剤をバリ取り、粉末除去して上方へ移送する自浄式振動コンベヤに関する。自浄手段を備えない振動コンベヤは、周知であり、かつ錠剤製造プロセスにおいては、錠剤が引き続いて包装機へ送られるように、錠剤を上方へ移送すると同時にバリ取りと粉末除去するために、錠剤プレスの直後に配置される。そのような振動コンベヤには、ステンレス鋼溝の螺旋形通路が設けられ、その溝は、直立チューブの外壁の周りに上方へ巻かれ、かつこのチューブと共に電磁振動ユニットの手段により、水平と垂直の構成部材と共に振動できる。鋼またはプラスチックの収納チューブが、螺旋形コンベヤ溝の外側に押付けられる。その収納チューブは、長さに応じて、収納チューブの周辺のほぼ三分の一を超える窪みを有することが多く、その窪み中にプレキシグラスが設けられて、小さい部品の移送を監視できる。それらの錠剤は、溝の振動の結果として螺旋形通路上の上方にはずむ。中央チューブと収納チューブとの間の螺旋形通路上の領域から中央チューブを通して、吸引装置の手段により粉末を吸引できるし、その中央チューブには、このためにスロットが設けられるか、または穴があけられる。
【０００２】
そのような振動コンベヤの欠点は、バリ取りの際に生じる粉末の大部分が吸引除去されるが、振動コンベヤの中央チューブと収納チューブとの壁上に、およびコンベヤ溝上に若干の汚染が残ることである。小さい部品、かくして種々の有効配合剤を有する種々の種類の錠剤を、コンベヤ装置で所期通りに移送する必要がある場合、振動コンベヤの内壁は、新しい種類の錠剤へ再設定される前に、完全に清浄化されなければならない。今までは、この清浄化は、手で実施されてきた。先ず、収納チューブを、コンベヤ溝と中央チューブとにアクセスできるように取外さなければならない。ついで全ての粉末汚染部分、具体的には穴あきコンベヤ溝、中央チューブの外側、およびコンベヤ空間のベースと蓋を湿った布で拭き取ることができる。最後に、分解された収納チューブの内側が清浄化される。ついで全ての部分は、乾燥されてから、引き続いて組立られる。この清浄化作業は、時間がかかり、かつ労力を要するものである。さらにコンベヤ装置は、清浄化中は作動できないし、また製造される小さい部品すなわち錠剤の別の処理において時間が無駄となる。製造と包装プロセスにおける他の設備部分は、清浄化が完了するまで静止したままである。
【０００３】
これらの理由のために、本発明の目的は、装置の組立を必要としないように、かつ装置に優しい入念で徹底した清浄化作業が、手作業無しで自動的に実施されるように自浄式振動コンベヤを提供することにある。
【０００４】
この目的は、小さい部品、特に丸薬および錠剤をバリ取り、粉末除去して上方へ移送する自浄式振動コンベヤにより達成され、そのコンベヤは、垂直チューブと、付属する電磁振動ユニットを有する、螺旋状にそのチューブの周りに巻かれるコンベヤ溝と、および外側からコンベヤ溝と取り囲む収納チューブを有し、また垂直チューブと収納チューブとの間の空間へは、内側から垂直チューブを通過する、または外側から収納チューブを通過する幾つかのノズルにより、付属のコンベヤポンプの手段により加圧された液体洗浄剤が噴霧できること、下側の空間には、集液プレートと、排出口付き集液溝とが備えられること、および乾燥用の振動コンベヤの内側には、空気ブロワーの接続により温風を流すことができるか、または全ての供給口と排出口を閉止した後に、吸引ポンプへの接続により、その内側を部分真空状態に設定できることを特徴とする。
【０００５】
そのような自浄式振動コンベヤの１つの好都合な実施例が図に示され、それらの図を通して、その実施例は、引き続く記述において詳細に説明される。
【０００６】
図１において、前方から見た自浄式振動コンベヤが示される。幾つかの重ね板バネ組立体２から構成される振動ユニット１を下方に見ることができ、それらの幾つかの重ね板バネ組立体２は、振動コンベヤの垂直軸に対して斜めに設けられ、かつここでは見られないベースプレートを対向振動プレート３へ接続する。振動ユニットは、重ね板バネ組立体２間のベースプレートの下に設置される電磁石をさらに備える。これは、ベースプレートと、および一方ではその上に構成された振動コンベヤーの部分、他方では対向振動プレート３の部分との間の振動を励振するように機能する。中央チューブ４がベースプレート上に構成され、またコンベヤ溝５が螺旋状に中央チューブの周りに設けられる。チューブ４およびコンベヤ溝５は、ベースプレートと共に、揺動すなわち振動され、一方、振動コンベヤの全ての残りの部材は、作動中は静止したままである。誘導された振動の結果として、小さい部品は、搬送チューブとして作用する中央チューブ４の外側に沿って内部縁部６と共に上方に巻かれる螺旋形通路５上で上方へ移送される。通路５は好都合には、穴あきクロム鋼から構成され、また樋を形成し、その樋における断面の中間が角形曲げ部を有する。この手段により、錠剤の大部分が横置姿勢で移送されることが保証される。個別の錠剤が一時は飛び上がって直立姿勢になる場合でも、この樋の形状の理由で、それらの錠剤は、短時間に横置姿勢へ戻る。さらにこの角形曲げ部の手段により、錠剤がこの通路上で詰まらないことが保証される。収納チューブ７が、搬送チューブ４上に押付けられ、また通路５は、この搬送チューブの外側で上方へ巻かれ、そこにおいて、収納チューブはプレキシグラスから構成され、かくして通路５を目視できる。蓋８が、収納チューブ７の上端部を封止的に閉じる。収納チューブ７には、底部において、フランジ９が備えられ、このフランジは、開口部リング１０上に封止的に取付けられる。開口部リング１０としては、ハウジング１１の上端部に封止的に載置される。供給ダクト１４が、収納チューブ７を通して、通路５の開始部の上方へ導かれ、また通路５が終わる箇所の上方へ、収納チューブ７が送出ダクト１５により渡される。収納チューブ７は、ここでは、４つのチューブ区画部分７１乃至７４から構成され、それらのフランジ区画部分は、フランジ１６、１７の手段により、端部側において組立てられ、かつフランジ周辺の周りに分布配置される引張り留め金１８の手段により互いに引張られる。
【０００７】
自浄を達成するために、垂直チューブ４と収納チューブ７との間の空間に、内側から垂直チューブを通過するか、または外側から収納チューブ７を通過する幾つかのノズル１９で噴霧される。このために、附属のコンベヤポンプの手段により加圧されて、これらのノズル１９を経て噴射される適切な流体洗浄剤が使用される。その後に流体は、コンベヤ溝５の下方に配置される集液プレート２０上に下方へ流れ、その縁部を越えて環状集液溝に向けて外方へ滴下し、ついでそこから外側へ図示されない排出口を通して集液溝中に滴下する。ここに示される好ましい実施例において、ノズル１９は、収納チューブの内側に放射状に配置され、外側から内側へ噴霧する。このために、プレキシグラスから成る３つの半管状チューブ２１が、プレキシグラス収納チューブ７に沿って収納チューブ７の外側へ封止的に取付けられ、かつその周辺上に分布される。好都合には、これらのプレキシグラス半管状チューブ２１は、収納チューブ７の外側へ密着される。それぞれの半管状チューブ２１に沿う一連のノズル１９の全てが、収納チューブ７の内側から半管状チューブにネジ込まれるので、ノズル１９は、それぞれの半管状チューブ２１の内部空間と連通し、かくして清浄化流体を、この半管状チューブ２１の内側からこれらのノズルを通して収納チューブ７内の空間中に噴射できる。半管状チューブ２１の少なくとも１つには、供給端末２２が備えられ、その端末へ、清浄化流体を供給する圧力チューブを接続できる。その使用済み清浄化流体は、ついで図示されない排出口を経て流出する。
【０００８】
図２は、図１において左側から見た自浄式振動コンベヤを示す。収納チューブの周辺に分布される、ノズル１９を有する３本の半管状チューブ２１および圧力チューブを接続する供給チューブ２２とが設けられることが分る。供給ダクト１４と吸込チューブ１２も設けられることが分る。圧力チューブからの清浄化流体の導入が一層良く理解されるように、流体の導入が、図３を通してさらに説明される。
【０００９】
図３は、互いに押付けられるプレキシグラス収納チューブ７の２つの区画部分７１、７２を示し、図示される例における収納チューブには、周辺に分布された４本の密着された半管状チューブ２１が設けられる。底部における収納チューブ７の最下端区画部分７１は、フランジ９を備える。この下部フランジ９は、振動ユニットが中に収納されるハウジング１１の上縁部上に強固に取付けられる開口部リング１０上に載置される。円形溝２４が、フランジ９、１０が断面で示される両側で見ることができるように、フランジ９の下側に設けられる。円形溝２４は、円形溝２４の両側に設けられる２つのＯリング２５、２６の手段により内側と外側へ封止される。半管状チューブ内部空間の伸張部内で延びる、軸方向に設けられる内腔２８が、フランジを通過し、かくして円形溝２４と半管状チューブ２１の内部との間に接続部を形成する。供給端末２２が半管状チューブ２１上に取付けられる。清浄化流体が、この端末２２を通して、この１本の半管状チューブ２１にポンプで送液されるならば、清浄化流体は、フランジ９の内腔２８を通して円形溝２４中に流出し、またフランジ９の別の内腔２８を通しても、他の半管状チューブ２１へ達する。全体システム内の圧力は、最終的に等しい圧力が全ての半管状チューブ２１の全てのノズル１９へ加わるように、全ての側面に均等に広がる。収納チューブ区画部分７１上に載置される隣接収納チューブ区画部分７２にはフランジ１６が備えられ、そのフランジ１６は、上側に円形溝２９が設けられるフランジ１７上に取付けられ、フランジ９上とちょうど同じように、そのフランジ１６から内腔がフランジ１７を通して半管状チューブ２１内に開放する。円形溝２９は、Ｏリングの手段により、内側と外側のそれぞれへ封止される。区画部分７２のフランジ１６は、フランジ１７上に載置され、かつ引張り留め金１８の手段によりフランジ１７と共に封止的に引張られる。ノズル１９は、ここではＭ１６ネジを使用して、収納チューブ７１、７２の内側から収納チューブ壁にネジ込まれる。かくしてノズルは、封止的に装着された半管状チューブ２１の内側と連通する。好都合には、ノズルの一般軸に対して斜めの少なくとも１つの開口部を備える回転自在のノズルヘッドを有する回転ノズルが取付けられる。このノズルヘッドは、図面に示されるように、液体噴流が円錐の包絡線を形成するように、ポンプ送液された流体の圧力を受けて回転される。これにより、振動コンベヤの収納チューブ７と中央チューブ４との間の全ての部材が、圧力噴霧され、かくして収納チューブ内側の全て、中央チューブの外側の全て、およびコンベヤ溝５の全ての側面が噴霧されることが保証される。図１が示すように、半管状チューブ２１は、同一の仕方で上端において封止蓋へ密着される半管状チューブ２７へも接続できる。ついで下方から、ノズルを蓋８にネジ込むことができ、ついでノズルには、蓋８上に配置される半管状チューブ２７の内側から給液される。
【００１０】
振動コンベヤ内に粉末を残したままにする一定の種類の錠剤が移送された後に、新しい種類の錠剤が移送されることになる場合、振動コンベヤの内側は、清浄化流体が約２バールの圧力と約７０℃の温度で噴霧されるように、先ず完璧に洗浄される。必要なときは、移送される小さい部品の種類に従って選択される清浄剤に応じて、より高い圧力と温度を考慮できる。その流体は、全ての側面へ圧力を受けて吹き付けられるお陰で、振動コンベヤの内側における全ての表面の優れた清浄化を達成する。汚れた水は、下方へ送られ、集液プレート２０の縁部を越えて下方へ流れ、集液プレート縁部の下方に環状の仕方で配置される集液溝中に流入し、ついで排出口を経て外側へ流出する。
【００１１】
しかしながら別の実施例において、ノズルを中央を貫通する収納チューブ４上のコンベヤ溝５の巻き部間に設けることができる。それらのノズルは、例えば、同様に螺旋状に中央チューブ内で上方へ巻かれる列で配置されるが、コンベヤ溝の巻き部間に互い違いに配置される。それらのノズルへは、チューブ類により給液され、そのチューブ類は、上方または下方から中央チューブの内側に導かれ、かつそれぞれのノズルのために、Ｔ継手の形態の枝チューブを備えるので、全ての側面へ均等に広がる圧力の結果として、それぞれのノズルは、圧力で均一に吹き付けられることが保証される。清浄化流体は、中央チューブと収納チューブとの間の空間に一般に放射状に噴霧され、そこにおいて回転ノズルの場合に、円周方向の噴射が、円錐の包絡線を覆う。しかしながら、ノズルが、チューブの内壁を通して外側からそれらの供給チューブ中に、直接にまたは小さいチューブ区画部分を経てネジ込まれるように、中央チューブの内壁に沿って設けられる幾つかの直線チューブ継手の手段により、清浄化流体を吹き付けることもできる。中央チューブ４の軸に沿う中央の大きい寸法の鋼製チューブも、給液チューブとして考えられる。この場合に全てのノズルは、ニップルを経てこの中央給液チューブに直接ネジ込まれる。
【００１２】
洗浄工程後に、振動コンベヤを迅速かつ完璧に乾燥する必要がある。事実、それにより直ぐ次の作業ができる。乾燥の場合、第１の変形態様において、清浄化流体の代わりに、温風が振動コンベヤを通して吹き込まれる。この場合に温風は、上述の清浄化流体と同一の通路を使用でき、つまり使用される空気ブロワーが端末２２へ接続される。
【００１３】
他の変形態様において供給ダクト１４および送出ダクト１５は、それぞれの場合、キャップで封止的に閉じられ、また排出とダクト吸引パイプ１２は、それぞれの場合、閉止キャップで封止される。その後に、吸引ポンプまたは工業用真空掃除機の手段により、流体の残りを蒸発するのに必要な、振動コンベヤの内部に部分真空を生じさせる。乾燥工程をさらに支援するために、例えば、コンベヤ溝の巻き部間で中央チューブの周りに同様に巻かれる電気加熱線の形態の加熱手段を振動コンベヤの内部に配置するか、または乾燥を部分真空で維持するために中央チューブ全体を加熱する電気加熱手段を中央チューブの内側に配置できる。
【図面の簡単な説明】
【図１】前部から見た、自浄手段を有する振動コンベヤである。
【図２】側面から見た、自浄手段を有する振動コンベヤである。
【図３】互いに接続される収納チューブの２つのチューブ部分の切り抜き図である。
【国際公開パンフレット】
2004509825.tif 000003
2004509825.tif 000004
2004509825.tif 000005
2004509825.tif 000006
2004509825.tif 000007
2004509825.tif 000008
2004509825.tif 000009
2004509825.tif 000010
2004509825.tif 000011
2004509825.tif 000012
2004509825.tif 000013
2004509825.tif 000014
2004509825.tif 000015
2004509825.tif 000016
2004509825.tif 000017
2004509825.tif 000018
【国際調査報告】
2004509825.tif 000019
2004509825.tif 000020
2004509825.tif 000021
2004509825.tif 000022